(57)【要約】 【課題】製品の美観の維持または向上を図ることができる電子機器を提供する。【解決手段】電子機器は、突起部が設けられた第１の面と、前記第１の面の反対側に位置され、前記突起部の反対側に設けられた第１の凹部とこの第１の凹部近傍で該第１の凹部と略同じ形状の第２の凹部とが設けられた第２の面と、を有した筐体を備える。【選択図】図３
2012169834.tif 000002
【特許請求の範囲】
【請求項１】
突起部が設けられた第１の面と、
前記第１の面の反対側に位置され、外部に露出された第２の面と、
前記第２の面で前記突起部に対応した位置に設けられた第１の溝部と、
前記第２の面で前記突起部に対応した位置に設けられ、前記第１の溝部と略同じ形状であり、前記第１の溝部と並んだ第２の溝部と、
前記第２の面で前記突起部に対応していない位置に設けられ、前記第１の溝部と略同じ形状であり、前記第１の溝部及び前記第２の溝部と並んだ第３の溝部と、
が設けられた筐体を備えたテレビジョン受像機。
【請求項２】
請求項１の記載において、
前記第１の溝部、前記第２の溝部、及び前記第３の溝部は、等間隔に並んで、互いに略平行に延びたテレビジョン受像機。
【請求項３】
請求項１または請求項２の記載において、
前記第１の面は、平坦部を有し、
前記第３の溝部は、前記第２の面で前記平坦部に対応した位置に設けられたテレビジョン受像機。
【請求項４】
請求項１または請求項３の記載において、
前記突起部は、ねじ穴が設けられたボスであり、第１の側面部と、この第１の側面部とは反対側に位置された第２の側面部と、前記第１の側面部と前記ねじ穴との間に位置された第１の部分と、前記第２の側面部と前記ねじ穴との間に位置された第２の部分とを有し、
前記第１の溝部は、前記ボスの第１の部分に対応して設けられ、前記第２の溝部は、前記ボスの第２の部分に対応して設けられたテレビジョン受像機。
【請求項５】
請求項１または請求項４の記載において、
前記第１の溝部、前記第２の溝部、及び前記第３の溝部は、前記筐体の厚さ方向に略直線状に延びたテレビジョン受像機。 
【請求項６】
第１の連結部を有した第１の筐体と、
前記第１の連結部に並ぶ第２の連結部を有した第２の筐体と、
前記第１の連結部と前記第２の連結部とを回動可能に連結したヒンジ部と、
を備え、
前記第１の筐体は、前記第１の連結部とは異なる方向から前記第２の連結部に対向する壁部を有し、この壁部は、前記第１の筐体の内部に露出され、突起部と平面部とが設けられた第１の面と、前記第１の面の反対側に位置され、外部に露出された第２の面と、前記第２の面で前記突起部に対応した位置に設けられた第１の溝部と、前記第２の面で前記突起部に対応した位置に設けられ、前記第１の溝部と略同じ形状であり、前記第１の溝部に隣接した第２の溝部と、前記第２の面で前記平面部に対応した位置に設けられ、前記第１の溝部と少なくとも一部が同一の形状であり、前記第１の溝部及び前記第２の溝部と並んだ第３の溝部とが設けられた電子機器。
【請求項７】
請求項６の記載において、
前記ヒンジ部は、ヒンジ軸を有し、
前記第２の面は、前記ヒンジ軸の径方向で前記第２の連結部に向かい合い、前記第１の筐体と前記第２の筐体とが互いに重ねられる第１の位置と、前記第１の筐体と前記第２の筐体とが開かれる第２の位置との両方で、前記第２の連結部に対向する電子機器。
【請求項８】
請求項６または請求項７の記載において、
前記突起部は、前記第１の面から傾斜して突出し、前記第１の面との間に当該突起部の傾斜方向に延びた境界部を有し、
前記第１の溝部、前記第２の溝部、及び前記第３の溝部は、前記境界部の長手方向に延びた電子機器。
【請求項９】
請求項６または請求項８の記載において、
前記第１の筐体は、入力部が設けられ、
前記第２の面は、前記第１の連結部から前記入力部に向いて窪んだ位置に設けられた電子機器。
【請求項１０】
突起部が設けられた第１の面と、
前記第１の面の反対側に位置され、前記突起部の反対側に設けられた第１の凹部と、この第１の凹部近傍で該第１の凹部と略同じ形状の第２の凹部とが設けられた第２の面と、
を有した筐体を備えた電子機器。
【発明の詳細な説明】
【技術分野】
【０００１】
本発明の実施形態は、筐体を有したテレビジョン受像機及び電子機器に関する。
【背景技術】
【０００２】
筐体の一部に溝部を備えた電子機器が提供されている。
【先行技術文献】
【特許文献】
【０００３】
【特許文献１】特開平１０−１９８４５８号公報
【発明の概要】
【発明が解決しようとする課題】
【０００４】
電子機器は、製品の美観の維持または向上が要望されている。
【０００５】
本発明の目的は、製品の美観の維持または向上を図ることができるテレビジョン受像機及び電子機器を提供することである。
【課題を解決するための手段】
【０００６】
実施形態によれば、電子機器は、突起部が設けられた第１の面と、前記第１の面の反対側に位置され、前記突起部の反対側に設けられた第１の凹部とこの第１の凹部近傍で該第１の凹部と略同じ形状の第２の凹部とが設けられた第２の面と、を有した筐体を備える。
【図面の簡単な説明】
【０００７】
【図１】第１実施形態に係るテレビジョン受像機の正面図。
【図２】図１中に示されたテレビジョン受像機の一部を示す斜視図。
【図３】図１中に示されたテレビジョン受像機の筐体の断面図。
【図４】第２実施形態に係る電子機器の平面図。
【図５】図４中に示された電子機器の斜視図。
【図６】図５中に示された筐体の溝部を示す斜視図。
【図７】図６中に示された筐体のＦ７−Ｆ７線に沿う断面図。
【図８】図７中に示された筐体の矢印Ｆ８方向から見た背面図。
【図９】図８中に示された筐体のＦ９−Ｆ９線に沿う断面図。
【図１０】図９中に示された筐体の一つの変形例を示す断面図。
【図１１】第３実施形態の電子機器の筐体の一部を示す斜視図。
【図１２】図１１中に示された筐体の平面図。
【発明を実施するための形態】
【０００８】
以下、実施の形態について、図面を参照して説明する。
【０００９】
（第１実施形態）  
図１乃至図３は、第１実施形態に係るテレビジョン受像機１を開示している。テレビジョン受像機１は、電子機器の一例である。なお本実施形態が適用可能な電子機器は、テレビジョン受像機に限られず、ノートブック型ポータブルコンピュータ（ノートＰＣ）や、スレート型ポータブルコンピュータ（スレートＰＣ）、携帯電話、スマートフォン、ＰＤＡ(Personal Digital Assistant)、ゲーム機などを含む種々の電子機器に広く適用可能である。
【００１０】
図１に示すように、テレビジョン受像機１は、ディスプレイ本体２と、スタンド３とを備える。スタンド３は、例えばテレビ台の上に設置される。ディスプレイ本体２は、扁平状に形成されるとともに、略鉛直に起立した姿勢でスタンド３に支持される。
【００１１】
図１及び図２に示すように、ディスプレイ本体２は、筐体４を備えている。筐体４は、前壁５、背壁６、及び周壁７を有する。前壁５は、略鉛直に起立するとともに、ユーザーに向かい合う。背壁６は、前壁５とは反対側に位置されるとともに、前壁５と略平行になるように略鉛直に起立している。周壁７は、前壁５の周縁部と背壁６の周縁部との間を繋いでいる。
【００１２】
図２及び図３に示すように、筐体４は、第１の面１１と、第２の面１２とを有する。第１の面１１は、筐体４の内部に露出された内面である。第２の面１２は、第１の面１１の反対側（裏側）に位置され、筐体４の外部に露出された外面（外観面）である。
【００１３】
図３に示すように、第１の面１１は、ボス１４と、平面部１５（平坦部）とを有する。ボス１４は、「突起部」の一例である。なお「突起部」はボスに限らず、例えばリブや、その他の形状でもよい。ボス１４は、第１の面１１から筐体４の内部に突出している。ボス１４は、例えばねじ止め用のボスであり、雌ねじが形成されたねじ穴１７が設けられている。ねじ穴１７は、ボス１４の先端部に開口し、ボス１４の軸方向に延びている。
【００１４】
ボス１４の周面２０は、第１の側面部２１と、この第１の側面部２１とは反対側に位置された第２の側面部２２とを有する。すなわち第２の側面部２２は、ボス１４の周面２０に沿って第１の側面部２１から略１８０度まわったところに位置されている。
【００１５】
ボス１４は、第１の部分２３、第２の部分２４、及び第３の部分２５を有する。第１の部分２３は、第１の側面部２１とねじ穴１７との間に位置されている。第２の部分２４は、第２の側面部２２とねじ穴１７との間に位置されている。第３の部分２５は、ねじ穴１７が設けられた部分であり、第１の部分２３と第２の部分２４との間に位置される。第３の部分２５は、第１及び第２の部分２３，２４よりも、上記ねじ穴１７の分だけ第１の面１１からの高さが低く（すなわち肉厚が薄く）なっている。
【００１６】
平面部１５は、ボスなどの突起部が設けられていない領域であり、平らに広がる平面を有する。これにより、筐体４の肉厚は、ボス１４が設けられた領域で厚く、このボスが設けられた領域に比べて平面部１５の領域で薄くなっている。
【００１７】
図２及び図３に示すように、周壁７の第２の面１２には、例えば４つの溝部３１，３２，３３，３４が設けられている。溝部３１，３２，３３，３４は、第１の溝部３１、第２の溝部３２、第３の溝部３３、及び第４の溝部３４を含む。第２の溝部３２は、「第１の凹部」の一例である。第３の溝部３３は、「第２の凹部」の一例である。第３の溝部３３は、第２の溝部３２の近傍に設けられている。第２の溝部３２は、第１の溝部３１の近傍に設けられている。
【００１８】
第１及び第２の溝部３１，３２は、第２の面１２でボス１４に対応した位置に設けられている。すなわち第１及び第２の溝部３１，３２は、ボス１４の反対側（裏側）に設けられている。なお「対応した位置」とは、筐体の壁部（本実施形態では周壁７）の厚さ方向において、互いに重なる（すなわち対向する）位置関係のことを指す。
【００１９】
図３に示すように、第１の溝部３１は、ボス１４の第１の部分２３に対応した位置、すなわち第１の部分２３の反対側に設けられている。第１の溝部３１の幅Ｗ１は、第１の部分２３の幅Ｓ１と例えば略同じである。第２の溝部３２は、ボス１４の第２の部分２４に対応した位置、すなわち第２の部分２４の反対側に設けられている。第２の溝部３２の幅Ｗ２は、第２の部分２４の幅Ｓ２と例えば略同じである。第１の溝部３１と第３の溝部３３との間の間隔Ｗ３は、第３の部分２５の幅Ｓ３と例えば略同じである。
【００２０】
第３及び第４の溝部３３，３４は、第２の面１２でボス１４に対応していない位置に設けられている。第３及び第４の溝部３３，３４は、平面部１５の反対側（裏側）に設けられている。
【００２１】
図２及び図３に示すように、第２の溝部３２は、第１の溝部３１に隣接している。第３の溝部３３は、第２の溝部３２に隣接している。第４の溝部３４は、第３の溝部３３に隣接している。第１乃至第４の溝部３１，３２，３３，３４は、等間隔に並んで、互いに略平行に並んでいる。第１乃至第４の溝部３１，３２，３３，３４は、互いに略同じ形状を有する。第１乃至第４の溝部３１，３２，３３，３４は、互いに略同じ、幅、長さ、及び深さを有する。第１乃至第４の溝部３１，３２，３３，３４は、筐体４の厚さ方向に略直線状に延びている。
【００２２】
なお、第１乃至第４の溝部３１，３２，３３，３４は、互いに少なくとも一部が同一形状であってもよい。例えば、第３及び第４の溝部３３，３４は、その一部だけが第１及び第２の溝部３１，３２と同一の形状であってもよい。また第２の溝部３２は、その一部だけが第１の溝部３１と同一の形状であってもよい。
【００２３】
第１乃至第４の溝部３１，３２，３３，３４は、第２の面１２に設けられ、筐体４の外観に露出されている。第１乃至第４の溝部３１，３２，３３，３４は、規則的に配列され、筐体４の外観のデザインの一部を構成している。
【００２４】
なお第２の面１２に設けられる溝部の数は、全体で２つや３つでもよく、５つ以上でもよい。ボス１４の反対側に設けられる溝部は、１つでもよく、３つ以上でもよい。また平面部１５の反対側に設けられる溝部は、１つでもよく、３つ以上でもよい。
【００２５】
このような構成によれば、筐体の堅牢性を向上させるとともに、製品の美観の維持または向上を図ることができる。すなわち、筐体の内面に突起部があると、その部分で筐体の肉厚が厚くなる。部分的に肉厚が厚い部分があると、その部分で金型成形時にヒケが生じ、その部分の外観面に窪みが生じる可能性がある。外観面の窪みは、製品の美観に影響を与えることがある。
【００２６】
また、部分的に肉厚が厚い部分があると、製品内部の温度低下に比べて製品表面の温度低下が速く、製品内に気泡が残ることがある。製品内に気泡が残ると、その部分で筐体の堅牢性が低下する可能性がある。
【００２７】
一方で、本実施形態では、筐体４は、ボス１４が設けられた第１の面１１と、この第１の面１１の反対側に位置された第２の面１２とを有する。第２の面１２には、ボス１４の反対側に設けられた第１の凹部（第２の溝部３２）と、この第１の凹部近傍で該第１の凹部と略同じ形状の第２の凹部（第３の溝部３３）とが設けられている。
【００２８】
すなわち、ボス１４に対向する領域に第１の凹部が設けられ、この第１の凹部によってボス１４に対向する領域の肉厚が薄くなっている。このため、ボス１４が設けられた領域と、平坦部１５が設けられた領域とで、成形時の温度低下が近くなる。このため、ヒケが生じにくく、外観面に窪みなどが生じにくくなる。これにより、製品の美観の向上が図られている。
【００２９】
さらにボス１４に対向する領域に凹部が設けられると、金型成形時に凹部の近くで溶湯が冷えにくくなり、製品内に気泡が残りにくくなる。このため、筐体４の堅牢性が向上する。
【００３０】
ここで、第１の面１１の突起部の反対側のみに凹部を設けることで、上記効果を実現することも考えられる。しかしながら、突起部の反対側だけに凹部を設けると、その凹部が製品の外観に目立ってしまう可能性がある。
【００３１】
そこで本実施形態では、第１の凹部の近傍に第２の凹部が設けられ、この第２の凹部は、第１の凹部と略同じ形状を有する。このため、第１の凹部と第２の凹部とが協働して筐体４の外観面にデザイン（模様）を構成している。すなわち第１及び第２の凹部によって製品の美観の維持または向上が図られている。
【００３２】
換言すれば、外観デザインの一部を構成する第１の凹部によってヒケ及び気泡の発生が抑制されるとともに、この第１の凹部近傍に設けられた第２の凹部が第１の凹部に協働することで、意匠的にも優れた筐体４を提供することができる。本実施形態では、突起部の反対側に設けられた第１の凹部を目立たなくするために、突起部を外れた位置に第２の凹部が設けられ、これら第１及び第２の凹部の形状を略同じに揃えることで、ヒケ及び気泡の発生の抑制と、意匠性の向上とを同時に実現している。
【００３３】
本実施形態では、筐体４は、ボス１４が設けられた第１の面１１と、第１の面１１の反対側に位置され、外部に露出された第２の面１２と、第２の面１２に設けられた第１乃至第３の溝部３１，３２，３３とを有する。第１の溝部３１は、第２の面１２でボス１４に対応した位置に設けられている。第２の溝部３２は、第２の面１２でボス１４に対応した位置に設けられるとともに、第１の溝部３１と略同じ形状を有し、第１の溝部３１と並んでいる。第３の溝部３３は、第２の面１２でボス１４に対応していない位置に設けられるとともに、第１の溝部３１と略同じ形状を有し、第１の溝部３１及び第２の溝部３２と並んでいる。
【００３４】
これによれば、ボス１４に対向する領域に設けられた第１及び第２の溝部３１，３２によって、ボス１４に対向する領域の肉厚が薄くなっており、ヒケ及び気泡の発生が抑制されている。さらに、ボス１４に対向しない領域に第３の溝部３３が設けられ、第１乃至第３の溝部３１，３２，３３が略同じ形状を有して互いに並んでいる。この第１乃至第３の溝部３１，３２，３３が協働して筐体４の外観面にデザインを構成している。すなわち第１乃至第３の溝部３１，３２，３３によってヒケ及び気泡の発生の抑制と、製品の美観の向上とが同時に図られている。なお、第１乃至第３の溝部３１，３２，３３は、互いに少なくとも一部が同じ形状を有すれば、一定の美観の向上が期待できる。
【００３５】
本実施形態では、第１乃至第３の溝部３１，３２，３３は、等間隔に並んで、互いに略平行に延びている。これによれば、筐体４の外観に規則性を有した優れたデザインを設けることができる。
【００３６】
本実施形態では、第３の溝部３３は、第２の面１２で平面部１５に対向した領域に設けられている。すなわち、平面部１５に対向する領域に設けられた第３の溝部３３が第１及び第２の溝部３１，３２に協働することで、より複雑で高度なデザインの筐体４を提供することができる。
【００３７】
本実施形態では、ボス１４は、第１の側面部２１とねじ穴１７との間に位置された第１の部分２３と、第２の側面部２２とねじ穴１７との間に位置された第２の部分２４とを有する。第１の溝部３１は、ボス１４の第１の部分２３に対応して設けられている。第２の溝部３２は、ボス１４の第２の部分２４に対応して設けられている。これによれば、ボス１４のなかで肉厚の部分（すなわちねじ穴ではない部分）に対応して第１及び第２の溝部３１，３２が設けられているので、より確実にヒケを抑制することができる。
【００３８】
本実施形態では、第１乃至第３の溝部３１，３２，３３は、筐体４の厚さ方向に略直線状に延びている。筐体４は、金型成形時に、その厚さ方向に沿って金型から引き抜かれる。第１乃至第３の溝部３１，３２，３３が筐体４の厚さ方向に略直線状に延びていると、金型からの引き抜き性（取り外し性）が良好になる。
【００３９】
（第２実施形態）  
次に、第２実施形態に係る電子機器４１について、図４乃至図９を参照して説明する。なお上記第１実施形態の構成と同一または類似の機能を有する構成は、同一の符号を付してその説明を省略する。また、下記に説明する以外の構成は、上記第１の実施形態と同じである。電子機器４１は、例えばノートＰＣである。なお本実施形態が適用可能な電子機器は、上記に限定されるものではなく、上述したような種々の電子機器に広く適用可能である。
【００４０】
図４及び図５に示すように、電子機器４１は、本体部４２（第１のユニット）と、表示部４３（第２のユニット）と、ヒンジ部４４ａ，４４ｂとを有する。本体部４２は、メインボードを搭載した電子機器本体である。本体部４２は、第１の筐体４６を備えている。第１の筐体４６は、上壁４７、下壁４８、及び周壁４９を有し、扁平な箱状に形成されている。
【００４１】
下壁４８は、電子機器４１を机の上に置いた時に、その机上面に向かい合う。上壁４７は、下壁４８との間に空間を空けて、下壁４８と略平行に広がる。周壁４９は、下壁４８に対して起立し、下壁４８の周縁部と上壁４７の周縁部との間を繋いでいる。上壁４７には、キーボード５０が取り付けられている。キーボード５０は、「入力部」の一例である。なお「入力部」は、タッチパネル式の入力装置や、その他の入力装置でもよい。
【００４２】
第１の筐体４６は、後端部５１（第１の端部）と、前端部５２（第２の端部）とを有する。後端部５１には、ヒンジ部４４ａ，４４ｂを介して表示部４３が連結されている。前端部５２は、後端部５１とは反対側に位置されている。
【００４３】
周壁４９は、前壁５４、後壁５５、左側壁５６、及び右側壁５７を含む。前壁５４は、第１の筐体４６の前端部５２に位置され、第１の筐体４６の横幅方向（左右方向）に延びている。後壁５５は、後端部５１に位置され、前壁５４と略平行に第１の筐体４６の横幅方向に延びている。左右の側壁５６，５７は、それぞれ第１の筐体４６の縦幅方向（前後方向）に延びている。左右の側壁５６，５７は、それぞれ前壁５４の端部と後壁５５の端部との間を繋いでいる。
【００４４】
なお本明細書では、電子機器４１を使用するユーザーに近い方を「前」、ユーザーから遠い方を「後ろ」と定義している。また電子機器４１を使用するユーザーから見て左右を定義している。
【００４５】
図５に示すように、第１の筐体４６は、ベース５８（第１の部材）と、カバー５９（第２の部材）とを有する。ベース５８は、下壁４８と、周壁４９の一部とを有する。カバー５９は、上壁４７と、周壁４９の一部とを有する。カバー５９がベース５８に組み合わされることで、第１の筐体４６が設けられている。
【００４６】
図４に示すように、表示部４３は、第２の筐体６１と、この第２の筐体６１に収容された表示装置６２とを備えている。表示装置６２は、例えば液晶ディスプレイであるが、これに限定されるものではない。表示装置６２は、画像や映像が表示される表示画面６２ａを有する。
【００４７】
第２の筐体６１は、ヒンジ部４４ａ，４４ｂによって、第１の筐体４６の後端部５１に回動可能（開閉可能）に連結されている。これにより表示部４３は、本体部４２に重ねられた第１の位置と、本体部４２に対して立て起された第２の位置との間で回動可能である。
【００４８】
図５に示すように、第２の筐体６１は、前壁６３、背壁６４、及び周壁６５を有する。前壁６３は、表示部４３が上記第１位置にあるとき、本体部４２に向かい合う。前壁６３は、表示装置６２の表示画面６２ａが露出される開口部６３ａを有する。換言すれば、第２の筐体６１は、表示画面６２ａが第１の筐体４６に覆われる第１位置と、表示画面６２ａが露出される第２位置との間で回動可能である。
【００４９】
背壁６４は、前壁６３との間に空間を空けて、前壁６３と略平行に広がる。背壁６４は、前壁６３とは反対側から表示装置６２に対向する。周壁６５は、背壁６４に対して起立し、前壁６３の周縁部と背壁６４の周縁部との間を繋いでいる。
【００５０】
図４及び図５に示すように、第１の筐体４６の後端部５１は、第１の筐体４６の一部としての後端壁部７１と、この後端壁部７１からさらに後方に突出した第１の連結部７２とを有する。後端壁部７１は、「壁部」の一例である。第１の連結部７２は、「第１の突出部」の一例である。
【００５１】
後端壁部７１は、第１の筐体４６の左端部と右端部とにそれぞれ設けられている。後端壁部７１は、後壁５５の一部として、第１の筐体４６の横幅方向（すなわち第１の筐体４６の長手方向）に延びている。後端壁部７１は、ユーザーとは反対側、すなわち電子機器４１の後方に向いている。後端壁部７１は、第１の筐体４６の後端部５１からキーボード５０（入力部）とは反対方向に向いている。後端壁部７１は、上壁４７と下壁４８との間に延びている。また後端壁部７１は、左側壁５６（または右側壁５７）と、第１の連結部７２との間に延びている。
【００５２】
第１の連結部７２は、一対の後端壁部７１の間に設けられている。第１の連結部７２は、第１の筐体４６の後端部５１からキーボード５０（入力部）とは反対方向に突出している。第１の連結部７２は、第１の筐体４６の長手方向に比較的大きな長さを有し、例えばバッテリ７３を搭載している。
【００５３】
図５に示すように、第１の連結部７２は、第１の壁部７４と第２の壁部７５とを有する。第１の壁部７４は、後端壁部７１に繋がるとともに、後端壁部７１とは交差する方向（例えば略直交する方向）に延びている。第２の壁部７５は、第１の筐体４６の長手方向に延び、第１の筐体４６の左右の端部に設けられた一対の第１の壁部７４の間を繋いでいる。
【００５４】
これにより、後端壁部７１と、第１の連結部７２の第１の壁部７４との間には、後端壁部７１と第１の壁部７４とによって２方向から規定された受け部７６（ヒンジ受け部）が設けられている。受け部７６は、第１の筐体４６の左端部と右端部とにそれぞれ設けられた切欠き部である。換言すると、後端壁部７１は、受け部７６の分だけ、第１の連結部７２の第２の壁部７５からキーボード５０（入力部）に向いて窪んだ位置に設けられている。
【００５５】
図４に示すように、ヒンジ部４４ａ，４４ｂは、ヒンジ軸８０と、このヒンジ軸８０に連結された第１及び第２の固定部８１，８２を有する。第１の固定部８１は、第１の筐体４６に固定された本体部固定ブラケットである。第２の固定部８２は、第２の筐体６１に固定された表示部固定ブラケットである。ヒンジ軸８０は、第１の筐体４６の長手方向に延びるとともに、第１の固定部８１と第２の固定部８２とを回動可能に連結している。
【００５６】
後端壁部７１は、ヒンジ軸８０の軸方向に延びている。第１の連結部７２の第１の壁部７４は、ヒンジ軸８０の径方向に広がっている。図６に示すように、第１の壁部７４は、ヒンジ軸８０が通される孔７４ａが設けられている。
【００５７】
図４に示すように、第２の筐体６１の左端部と右端部には、一対の第２の連結部８４が設けられている。第２の連結部８４は、「第２の突出部」の一例である。第２の連結部８４は、第２の筐体６１から第１の筐体４６に向いて突出している。第２の連結部８４は、第１の筐体４６の左端部と右端部に設けられた受け部７６に入り込み、ヒンジ軸８０の軸方向から第１の連結部７２に並んでいる。
【００５８】
ヒンジ部４４ａ，４４ｂの第１の固定部８１は、第１の連結部７２に固定されている。ヒンジ部４４ａ，４４ｂの第２の固定部８２は、第２の連結部８４に固定されている。ヒンジ部４４ａ，４４ｂは、第１の連結部７２と第２の連結部８４とを回動可能に連結している。
【００５９】
図５に示すように、第１の連結部７２の第１の壁部７４は、ヒンジ軸８０の軸方向で第２の連結部８４に対向している。後端壁部７１は、ヒンジ軸８０の径方向で第２の連結部８４に対向している。すなわち、後端壁部７１は、第１の連結部７２とは異なる方向（例えば略直交した方向）から第２の連結部８４に対向している。
【００６０】
換言すると、後端壁部７１は、第２の筐体６１に対向する壁部の一例である。後端壁部７１は、第２の筐体６１に連結された第１の筐体４６の端部に位置され、第２の筐体６１によって覆われる。後端壁部７１は、例えば第１の筐体４６と第２の筐体６１とが互いに重ねられる第１の位置と、第１の筐体４６と第２の筐体６１とが開かれる第２の位置との両方で、第２の筐体６１によって覆われる。
【００６１】
図５乃至図９に示すように、後端壁部７１は、第１の面１１と、第２の面１２とを有する。第１の面１１は、第１の筐体４６の内部に露出された内面である。第２の面１２は、第１の面１１の反対側に位置され、第１の筐体４６の外部に露出された外面（外観面）である。第２の面１２は、ヒンジ軸８０の径方向で第２の連結部８４に対向している。
【００６２】
第１の面１１は、ボス１４と、平面部１５とを有する。ボス１４は、「突起部」の一例である。なお「突起部」はボスに限らず、例えばリブや、その他の形状でもよい。第１の面１１及び第２の面１２は、上壁４７及び下壁４８に対して傾斜した斜面である。ボス１４は、第１の面１１から傾斜して突出している。ボス１４は、例えば上壁４７及び下壁４８に略直交する方向に第１の面１１から突出している。なお図８中の破線は、ボス１４を模式的に示している。
【００６３】
図５乃至図９に示すように、後端壁部７１の第２の面１２には、例えば３つの溝部３１，３２，３３が設けられている。溝部３１，３２，３３は、第１の溝部３１、第２の溝部３２、及び第３の溝部３３を含む。第２の溝部３２は、「第１の凹部」の一例である。第３の溝部３３は、「第２の凹部」の一例である。
【００６４】
なお第２の面１２に設けられる溝部の数は、全体で２つでもよく、４つ以上であってもよい。ボス１４の反対側に設けられる溝部は、１つでもよく、３つ以上でもよい。また平面部１５の反対側に設けられる溝部は、２つ以上でもよい。なお図１０は、ボス１４の反対側に溝部３１が１つだけ設けられた変形例を示す。
【００６５】
第１及び第２の溝部３１，３２は、第２の面１２でボス１４に対応した位置に設けられている。第１の溝部３１は、ボス１４の第１の部分２３に対応した位置に設けられている。第２の溝部３２は、ボス１４の第２の部分２４に対応した位置に設けられている。
【００６６】
第３の溝部３３は、第２の面１２でボス１４に対応していない位置に設けられている。第３の溝部３３は、平面部１５の反対側に設けられている。第３の溝部３３は、例えば第１及び第２の溝部３１，３２と、第１の連結部７２の第１の壁部７４との間に設けられている。
【００６７】
図６及び図８に示すように、第１乃至第３の溝部３１，３２，３３は、等間隔に並んで、互いに略平行に並んでいる。第１乃至第３の溝部３１，３２，３３は、互いに略同じ形状を有する。第１乃至第３の溝部３１，３２，３３は、規則的に配列され、第１の筐体４６の外観のデザインの一部を構成している。
【００６８】
図８に示すように、第１乃至第３の溝部３１，３２，３３は、ボス１４の傾斜した方向に延びている。すなわち、第２の面１２に垂直な方向から見たときに、第１乃至第３の溝部３１，３２，３３は、ボス１４の長手方向に延びている。さらに言えば、第１の面１１から傾斜して突出したボス１４は、第１の面１１との間に楕円状の境界部８６（接触部）を有する。境界部８６は、ボス１４の傾斜方向に延びており、ボス１４の傾斜方向に長手方向を有する。第１乃至第３の溝部３１，３２，３３は、境界部８６の長手方向に延びている。
【００６９】
第１乃至第３の溝部３１，３２，３３は、第１の筐体４６の厚さ方向（すなわち金型からの引き抜き方向）に略直線状に延びている。第１乃至第３の溝部３１，３２，３３は、第１の筐体４６の厚み方向に、第１の筐体４６の両端部に亘って延びている。第１乃至第３の溝部３１，３２，３３は、例えば第１の筐体４６のカバー５９の略全厚に亘っている。
【００７０】
具体的には、図６に示すように、第１乃至第３の溝部３１，３２，３３は、それぞれ第１の端部８７と、この第１の端部８７とは反対側に位置された第２の端部８８とを有する。第１の端部８７は、厳密に言えば上壁４７には繋がっておらず、上壁４７に繋がる後端壁部７１の上端部から少し下がった位置までしか延びていない。これにより、ユーザーから溝部３１，３２，３３がより見えにくくなっている。
【００７１】
第２の端部８８は、当該溝部３１，３２，３３の延伸方向においてカバー５９の下端部に達しており、カバー５９の下端部で開放されている。これにより、金型からの引き抜き性（取り外し性）がより良好になる。
【００７２】
このような構成によれば、上記第１実施形態と同様に、筐体の堅牢性を向上させるとともに、製品の美観の維持または向上を図ることができる。
【００７３】
さらに本実施形態では、電子機器４１は、第１の連結部７２を有した第１の筐体４６と、第１の連結部７２に並ぶ第２の連結部８４を有した第２の筐体６１と、第１の連結部７２と第２の連結部８４とを回動可能に連結したヒンジ部４４ａ，４４ｂとを備える。第１の筐体４６は、第１の連結部７２とは異なる方向から第２の連結部８４に対向した後端壁部７１を有し、第１乃至第３の溝部３１，３２，３３は、後端壁部７１に設けられている。
【００７４】
このような後端壁部７１は、第２の筐体６１の第２の連結部８４に対向する部分である。すなわち後端壁部７１は、２つの筐体４６，６１の間に位置され、ユーザーから見えにくい。第１乃至第３の溝部３１，３２，３３がユーザーから見えにくい場所に設けられることで、溝部３１，３２，３３の存在を目立たせることなく、ヒケや気泡の発生を抑制することができる。
【００７５】
本実施形態では、ヒンジ部４４ａ，４４ｂは、ヒンジ軸８０を有する。第２の面１２は、ヒンジ軸８０の径方向で第２の連結部８４に対向する。第２の面１２は、第１の筐体４６と第２の筐体６１とが互いに閉じられる第１の位置と、第１の筐体４６と第２の筐体６１とが開かれる第２の位置との両方で、第２の連結部８４に対向する。すなわち、第２の面１２は、表示部４３が閉じられた状態でも、表示部４３が開かれた状態でも、第２の連結部８４によって覆われている。このような第２の面１２に第１乃至第３の溝部３１，３２，３３が設けられると、溝部３１，３２，３３がユーザーからさらに見えにくく、目立ちにくい。
【００７６】
本実施形態では、ボス１４は、第１の面１１から傾斜して突出している。図７及び図８に示すように、第１の面１１から傾斜して突出するボス１４が設けられると、その傾斜方向に比較的長い距離に亘ってボス１４と第１の面１１とが繋がり、ボス１４と第１の面１１との接触部分（境界部８６）が大きくなる。このため、第１の筐体４６に比較的長い距離に亘って厚肉部分が形成される。
【００７７】
そこで本実施形態では、第１乃至第３の溝部３１，３２，３３は、ボス１４の傾斜した方向に沿って設けられている。これにより、溝部３１，３２，３３が上記厚肉部分の長手方向に沿って延びることになるので、溝部３１，３２，３３によって厚肉部分の厚さを比較的長い範囲に亘って薄くすることができる。これにより、より効果的にヒケを抑制することができる。
【００７８】
本実施形態では、第２の面１２は、第１の連結部７２から入力部（キーボード５０）に向いて窪んだ位置に設けられている。このような窪んだ位置にある第２の面１２は、ユーザーから見えにくい。ユーザーから見えにくい場所に第１乃至第３の溝部３１，３２，３３を設けると、溝部３１，３２，３３の存在を目立たせることなく、ヒケや気泡の発生を抑制することができる。
【００７９】
（第３実施形態）  
次に、第３実施形態に係る電子機器４１について、図１１及び図１２を参照して説明する。なお上記第１及び第２の実施形態の構成と同一または類似の機能を有する構成は、同一の符号を付してその説明を省略する。また、下記に説明する以外の構成は、上記第２の実施形態と同じである。
【００８０】
図１１は、カバー５９の内面（第１の面１１）を示す。カバー５９の内面には、ハニカムリブ９１が設けられている。ハニカムリブ９１は、例えばパームレスト９２の裏側に設けられている。ハニカムリブ９１は、第１の面１１から筐体４６内に突出したリブであり、例えば正六角形状をしたセルの集合体で構成されている。つまり、正六角形状をしたセル９３が隙間なく並べられている。
【００８１】
図１２に示すように、各セル９３は、第１方向に延びた第１のリブ９４と、この第１のリブ９４とは異なる第２または第３の方向に延びた第２のリブ９５及び第３のリブ９６が互いに接続されて構成されている。第１のリブ９４は、「突起部」の一例である。第１のリブ９４は、例えば筐体４６の短手方向に延びている。筐体４６の第１の面１１は、例えば第１乃至第３のリブ９４，９５，９６を外れた各セル９３の中央部に平面部１５を有する。
【００８２】
図１２に示すように、筐体４６の外面（第２の面１２）には、複数の溝部３１，３３が設けられている。溝部３１，３３は、第１の溝部３１、及び第２の溝部３３を含む。本実施形態では、第１の溝部３１は、「第１の凹部」の一例である。第２の溝部３３は、「第２の凹部」の一例である。第１及び第２の溝部３１，３３は、例えば交互に設けられている。第２の溝部３３は、第１の溝部３１の近傍に設けられている。
【００８３】
例えば図１２中のＡ−Ａ線で見た場合、第１の溝部３１は、第１のリブ９４に対応した位置、すなわち第１のリブ９４の反対側に設けられている。第２の溝部３２は、第１のリブ９４に対応していない位置、すなわち平面部１５の反対側に設けられている。一方で、図１２中のＢ−Ｂ線で見た場合、第１の溝部３１は、第１のリブ９４に対応しない位置、すなわち平面部１５の反対側に設けられている。第２の溝部３３は、第１のリブ９４に対応した位置、すなわち第１のリブ９４の反対側に設けられている。
【００８４】
このような構成によれば、上記第１実施形態と同様に、筐体の堅牢性を向上させるとともに、製品の美観の維持または向上を図ることができる。
【００８５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００８６】
例えば溝部３１，３２，３３，３４は、筐体４，４６の周壁７，４９に代えて、前壁５４や側壁５６，５７、上壁４７や下壁４８、またはその他の場所に設けられてもよい。また溝部３１，３２，３３，３４は、筐体４，４６の全体に設けられてもよい。溝部３１，３２，３３，３４は、直線状のものに限られず、曲線状のものや、その他の形状のものでもよい。溝部３１，３２，３３，３４の断面は矩形状である必要はなく、曲面を有する形状や、その他の形状であってもよい。
【符号の説明】
【００８７】
１…テレビジョン受像機、４，４６…筐体、１１…第１の面、１２…第２の面、１４…ボス（突起部）、１５…平面部、２１…第１の側面部、２２…第２の側面部、２３…第１の部分、２４…第２の部分、２５…第３の部分、３１…第１の溝部（第１の凹部）、３２…第２の溝部、３３…第３の溝部（第２の凹部）、４１…電子機器、４４ａ．４４ｂ…ヒンジ部、４６…第１の筐体、４６…第１の筐体、５０…キーボード（入力部）、６１…第２の筐体、７１…後端壁部、７２…第１の連結部、８０…ヒンジ軸、８４…第２の連結部。
【図１】
2012169834.tif 000003
【図２】
2012169834.tif 000004
【図３】
2012169834.tif 000005
【図４】
2012169834.tif 000006
【図５】
2012169834.tif 000007
【図６】
2012169834.tif 000008
【図７】
2012169834.tif 000009
【図８】
2012169834.tif 000010
【図９】
2012169834.tif 000011
【図１０】
2012169834.tif 000012
【図１１】
2012169834.tif 000013
【図１２】
2012169834.tif 000014
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
突起部が設けられた第１の面と、
前記第１の面の反対側に位置され、外部に露出された第２の面と、
前記第２の面で前記突起部に対応した位置に設けられた第１の溝部と、
前記第２の面で前記突起部に対応した位置に設けられ、前記第１の溝部と略同じ形状であり、前記第１の溝部と並んだ第２の溝部と、
前記第２の面で前記突起部に対応していない位置に設けられ、前記第１の溝部と略同じ形状であり、前記第１の溝部及び前記第２の溝部と並んだ第３の溝部と、
が設けられた筐体を備え、
前記突起部は、ねじ穴が設けられ、第１の側面部と、この第１の側面部とは反対側に位置された第２の側面部と、前記第１の側面部と前記ねじ穴との間に位置された第１の部分と、前記第２の側面部と前記ねじ穴との間に位置された第２の部分とを有し、
前記第１の溝部は、前記突起部の第１の部分に対応して設けられ、前記第２の溝部は、前記突起部の第２の部分に対応して設けられた電子機器。
【請求項２】
請求項１の記載において、
前記第１の溝部、前記第２の溝部、及び前記第３の溝部は、等間隔に並んで、互いに略平行に延びた電子機器。
【請求項３】
請求項１または請求項２の記載において、
前記第１の面は、平坦部を有し、
前記第３の溝部は、前記第２の面で前記平坦部に対応した位置に設けられた電子機器。
【請求項４】
請求項１または請求項３の記載において、
前記突起部は、ボスである電子機器。
【請求項５】
請求項１または請求項４の記載において、
前記第１の溝部、前記第２の溝部、及び前記第３の溝部は、前記筐体の厚さ方向に略直線状に延びた電子機器。 
【請求項６】
請求項１乃至請求項５のいずれかに記載の電子機器の構成を有したテレビジョン受像機。
【請求項７】
第１の連結部を有した第１の筐体と、
前記第１の連結部に並ぶ第２の連結部を有した第２の筐体と、
前記第１の連結部と前記第２の連結部とを回動可能に連結したヒンジ部と、
を備え、
前記第１の筐体は、前記第１の連結部とは異なる方向から前記第２の連結部に対向する壁部を有し、
この壁部は、
前記第１の筐体の内部に露出され、固定部材が固定されるとともに該固定部材を側方から支持する部分を有した突起部と、平面部とが設けられた第１の面と、
前記第１の面の反対側に位置され、外部に露出された第２の面と、
前記第２の面で前記突起部の前記固定部材を側方から支持する部分の反対側に設けられた第１の溝部と、
前記第２の面で前記突起部に対応した位置に設けられ、前記第１の溝部と略同じ形状であり、前記第１の溝部の近傍に位置した第２の溝部と、
前記第２の面で前記平面部に対応した位置に設けられ、前記第１の溝部と少なくとも一部が同一の形状であり、前記第１の溝部及び前記第２の溝部と並んだ第３の溝部と、
が設けられた電子機器。
【請求項８】
請求項７の記載において、
前記ヒンジ部は、ヒンジ軸を有し、
前記第２の面は、前記ヒンジ軸の径方向で前記第２の連結部に向かい合い、前記第１の筐体と前記第２の筐体とが互いに重ねられる第１の位置と、前記第１の筐体と前記第２の筐体とが開かれる第２の位置との両方で、前記第２の連結部に対向する電子機器。
【請求項９】
請求項７または請求項８の記載において、
前記突起部は、前記第１の面から傾斜して突出し、前記第１の面との間に当該突起部の傾斜方向に延びた境界部を有し、
前記第１の溝部、前記第２の溝部、及び前記第３の溝部は、前記境界部の長手方向に延びた電子機器。
【請求項１０】
請求項７または請求項９の記載において、
前記第１の筐体は、入力部が設けられ、
前記第２の面は、前記第１の連結部から前記入力部に向いて窪んだ位置に設けられた電子機器。
【請求項１１】
固定部材が固定されるとともに該固定部材を側方から支持する部分を有した突起部が設けられた第１の面と、
前記第１の面の反対側に位置した面であって、前記固定部材を側方から支持する部分の反対側に位置した第１の凹部と、この第１の凹部近傍で前記突起部が設けられていない領域の反対側に位置して該第１の凹部と略同じ形状の第２の凹部と、が設けられた第２の面と、を有した筐体を備えた電子機器。
【手続補正２】
【補正対象書類名】明細書
【補正対象項目名】０００６
【補正方法】変更
【補正の内容】
【０００６】
実施形態によれば、電子機器は、固定部材が固定されるとともに該固定部材を側方から支持する部分を有した突起部が設けられた第１の面と、前記第１の面の反対側に位置した面であって、前記固定部材を側方から支持する部分の反対側に位置した第１の凹部と、この第１の凹部近傍で前記突起部が設けられていない領域の反対側に位置して該第１の凹部と略同じ形状の第２の凹部と、が設けられた第２の面と、を有した筐体を備える。
【手続補正３】
【補正対象書類名】明細書
【補正対象項目名】００８６
【補正方法】変更
【補正の内容】
【００８６】
例えば溝部３１，３２，３３，３４は、筐体４，４６の周壁７，４９に代えて、前壁５４や側壁５６，５７、上壁４７や下壁４８、またはその他の場所に設けられてもよい。また溝部３１，３２，３３，３４は、筐体４，４６の全体に設けられてもよい。溝部３１，３２，３３，３４は、直線状のものに限られず、曲線状のものや、その他の形状のものでもよい。溝部３１，３２，３３，３４の断面は矩形状である必要はなく、曲面を有する形状や、その他の形状であってもよい。
以下、いくつかのテレビジョン受像機と電子機器を付記する。
[１]、(i)突起部が設けられた第１の面と、(ii)前記第１の面の反対側に位置され、外部に露出された第２の面と、(iii)前記第２の面で前記突起部に対応した位置に設けられた第１の溝部と、(iv)前記第２の面で前記突起部に対応した位置に設けられ、前記第１の溝部と略同じ形状であり、前記第１の溝部と並んだ第２の溝部と、(v)前記第２の面で前記突起部に対応していない位置に設けられ、前記第１の溝部と略同じ形状であり、前記第１の溝部及び前記第２の溝部と並んだ第３の溝部と、が設けられた筐体を備えたテレビジョン受像機。
[２]、[１]の記載において、前記第１の溝部、前記第２の溝部、及び前記第３の溝部は、等間隔に並んで、互いに略平行に延びたテレビジョン受像機。
[３]、[１]または[２]の記載において、前記第１の面は、平坦部を有し、前記第３の溝部は、前記第２の面で前記平坦部に対応した位置に設けられたテレビジョン受像機。
[４]、[１]または[３]の記載において、前記突起部は、ねじ穴が設けられたボスであり、第１の側面部と、この第１の側面部とは反対側に位置された第２の側面部と、前記第１の側面部と前記ねじ穴との間に位置された第１の部分と、前記第２の側面部と前記ねじ穴との間に位置された第２の部分とを有し、前記第１の溝部は、前記ボスの第１の部分に対応して設けられ、前記第２の溝部は、前記ボスの第２の部分に対応して設けられたテレビジョン受像機。
[５]、[１]または[４]の記載において、前記第１の溝部、前記第２の溝部、及び前記第３の溝部は、前記筐体の厚さ方向に略直線状に延びたテレビジョン受像機。 
[６]、(i)第１の連結部を有した第１の筐体と、(ii)前記第１の連結部に並ぶ第２の連結部を有した第２の筐体と、(iii)前記第１の連結部と前記第２の連結部とを回動可能に連結したヒンジ部と、を備え、前記第１の筐体は、前記第１の連結部とは異なる方向から前記第２の連結部に対向する壁部を有し、この壁部は、前記第１の筐体の内部に露出され、突起部と平面部とが設けられた第１の面と、前記第１の面の反対側に位置され、外部に露出された第２の面と、前記第２の面で前記突起部に対応した位置に設けられた第１の溝部と、前記第２の面で前記突起部に対応した位置に設けられ、前記第１の溝部と略同じ形状であり、前記第１の溝部に隣接した第２の溝部と、前記第２の面で前記平面部に対応した位置に設けられ、前記第１の溝部と少なくとも一部が同一の形状であり、前記第１の溝部及び前記第２の溝部と並んだ第３の溝部とが設けられた電子機器。
[７]、[６]の記載において、前記ヒンジ部は、ヒンジ軸を有し、前記第２の面は、前記ヒンジ軸の径方向で前記第２の連結部に向かい合い、前記第１の筐体と前記第２の筐体とが互いに重ねられる第１の位置と、前記第１の筐体と前記第２の筐体とが開かれる第２の位置との両方で、前記第２の連結部に対向する電子機器。
[８]、[６]または[７]の記載において、前記突起部は、前記第１の面から傾斜して突出し、前記第１の面との間に当該突起部の傾斜方向に延びた境界部を有し、前記第１の溝部、前記第２の溝部、及び前記第３の溝部は、前記境界部の長手方向に延びた電子機器。
[９]、[６]または[８]の記載において、前記第１の筐体は、入力部が設けられ、前記第２の面は、前記第１の連結部から前記入力部に向いて窪んだ位置に設けられた電子機器。
[１０]、(i)突起部が設けられた第１の面と、(ii)前記第１の面の反対側に位置され、前記突起部の反対側に設けられた第１の凹部と、この第１の凹部近傍で該第１の凹部と略同じ形状の第２の凹部とが設けられた第２の面と、を有した筐体を備えた電子機器。